(57)【要約】      （修正有）【課題】妊娠中であっても、バストラインやウェスト部のくびれなどのシルエットが美しく表現でき、かつ胎児にも圧迫などの負担がないマタニティドレスなどのダーツを有する衣類を提供する。【解決手段】ダーツを有する衣類を、女性用の上衣部において、肩接ぎ部またはチェスト部のいずれかから、トップバスト部方向に向かう第一のダーツと、ウェスト部からトップバスト部方向に向かう第二のダーツ、さらには脇接ぎ部またはアームホール部部のいずれかから、バストライン上の、トップバスト部より脇側近傍に向かう第三のダーツと、ウェスト部における脇接ぎ部と第二のダーツとの中間位置からアンダーバストライン近傍に向かう第四のダーツとを有するように構成する。【選択図】図１
0003113922.tif 000002
【実用新案登録請求の範囲】
【請求項１】
女性用の上衣部において、肩接ぎ部またはチェスト部のいずれかから、トップバスト部方向に向かう第一のダーツと、ウェスト部からトップバスト部方向に向かう第二のダーツ、さらには脇接ぎ部またはアームホール部のいずれかから、バストライン上の、トップバスト部より脇側近傍に向かう第三のダーツと、ウェスト部における脇接ぎ部と第二のダーツとの中間位置からアンダーバストライン近傍に向かう第四のダーツとを有することを特長とするダーツを有する衣類。
【請求項２】
前記第二のダーツと第四のダーツが、ウェスト部より下方に延長されて下衣部を形成すると共に、ウェスト部より下方に向かっては、ダーツ分量が減少することを特長とする請求項１に記載のダーツを有する衣類。
【請求項３】
マタニティ用の上衣であることを特長とする請求項１に記載のダーツを有する衣類。
【請求項４】
マタニティ用のドレスであることを特長とする請求項１または２に記載のダーツを有する衣類。
【請求項５】
マタニティ用のウェディングドレスであることを特長とする請求項１または２に記載のダーツを有する衣類。
【考案の詳細な説明】
【技術分野】
【０００１】
本考案は、女性用の上衣またはドレスであって、特に妊娠５〜７ヶ月の妊婦を対象とした、ウェディングドレス等のダーツを有する衣類に関する。
【背景技術】
【０００２】
衣類、特に女性用の衣類の上衣部には、バスト部やウェスト部などの身体の膨らみやくびれに沿った立体的なシルエットを現出するためダーツが設けられている。
【０００３】
通常このような衣類におけるダーツは、図６に示すような、肩接ぎ部、チェスト部、脇接ぎ部、腋下、アームホール部などからトップバスト部方向に向かう1本のダーツ２１、左右で２本のダーツを有するタイプ（特許文献１、３参照）、そして、図７に示すような、肩接ぎ部、チェスト部、脇接ぎ部、腋下、アームホール部などからトップバスト部方向に向かう1本のダーツ２１と、ウェスト部からトップバスト部方向に向かうもう１本のダーツ２２（左右で計４本）を有するタイプ（特許文献１参照）、また、図８に示すような、肩接ぎ部、チェスト部からトップバスト部方向に向かう１本のダーツ２１と、脇接ぎ部などからトップバスト部方向に向かう１本のダーツ２３、そしてウェスト部からトップバスト部方向に向かうもう１本のダーツ２２の合計３本、左右で合計６本のダーツを有するタイプ（特許文献２参照）、他には、ネック部、アームホール部、脇接ぎ部のそれぞれからトップバスト部方向に向かう３本のダーツ、左右で６本のダーツを有するタイプ（特許文献３参照）が知られている。
【特許文献１】特開昭５７−１３３２０５
【特許文献２】特開昭５８−１２６３０５
【特許文献３】特許第３０６２６２２号
【特許文献４】実用新案登録第３１０６９５５号
【考案の開示】
【考案が解決しようとする課題】
【０００４】
近年、妊娠５〜７ヶ月の妊婦の挙式が増加しており、妊婦を対象としたウェディングドレスの需要が高まっているが、ボリュームが大きくなり丸みの増した乳房や膨らみの増した腹部に対し、従来のマタニティ用ウェディングドレスは、単に伸縮性素材を用いたり、レーシング手法を用いて対応したり、上記の特許文献４に記載されているマタニティ下着のように単に使用する生地の分量を増やしフレアーを多くとるなど、フリーサイズ的な対応しかなされておらず、バストからウエスト部やウエスト部から腹部のシルエットを美しく見せることが難しく、体型変化には対応しているもののいかにも妊婦に見えるデザインであった。
【０００５】
妊婦の挙式は、胎児が安定期に入る妊娠５〜７ヶ月の期間に集中しており、従って、乳房に丸みやボリュームが増し、腹部の膨らみも目立つようになるため、従来の手法で美しいシルエットを現出するのは困難であった。
【０００６】
本考案は、妊娠中であっても、バストラインやウェスト部のくびれなどのシルエットが美しく表現でき、かつ胎児にも圧迫などの負担がないマタニティドレスなどのダーツを有する衣類を提供することを目的とする。
【課題を解決するための手段】
【０００７】
本考案のダーツを有する衣類は、女性用の上衣部において、肩接ぎ部またはチェスト部のいずれかから、トップバスト部方向に向かう第一のダーツと、ウェスト部からトップバスト部方向に向かう第二のダーツ、さらには脇接ぎ部またはアームホール部部のいずれかから、バストライン上の、トップバスト部より脇側近傍に向かう第三のダーツと、ウェスト部における脇接ぎ部と第二のダーツとの中間位置からアンダーバストライン近傍に向かう第四のダーツとを有することを特長とする。
【０００８】
また、前記第二のダーツと第四のダーツが、ウェスト部より下方に延長されて下衣部を形成すると共に、ウェスト部より下方に向かっては、ダーツ分量が減少することが好ましい。
【０００９】
そして、本考案のダーツを有する衣類は、マタニティ用の上衣であることが好ましい。
【００１０】
あるいは、本考案のダーツを有する衣類は、マタニティ用のドレスであることが好ましい。
【００１１】
さらには、本考案のダーツを有する衣類は、マタニティ用のウェディングドレスであることが好ましい。
【考案の効果】
【００１２】
本考案のダーツを有する衣類は、女性用の上衣部において、肩接ぎ部またはチェスト部のいずれかから、トップバスト部方向に向かう第一のダーツと、ウェスト部からトップバスト部方向に向かう第二のダーツ、さらには脇接ぎ部またはアームホール部部のいずれかから、バストライン上の、トップバスト部より脇側近傍に向かう第三のダーツと、ウェスト部における脇接ぎ部と第二のダーツとの中間位置からアンダーバストライン近傍に向かう第四のダーツとを有するので、第三、第四のダーツによって、乳房の丸みやボリュームの増加に対応できると共に、バスト部からアンダーバスト部のシルエットをすっきりとさせ、美しいシルエットを現出させることが可能になった。
【００１３】
また、前記第二のダーツと第四のダーツが、ウェスト部より下方に延長されて下衣部を形成すると共に、ウェスト部より下方に向かっては、ダーツ分量が減少することにより、バスト部やアンダーバスト部だけでなく、ウエストから腹部の膨らみへの対応が可能となる。
【００１４】
従って、本考案のダーツを有する衣類は、丸みやボリュームが増した乳房を包み込むと共に、あまり変化しないテンダーバストからウェストにぴったりとフィットさせ、また膨らみの増した腹部をもソフトに包み込むことから、美しいシルエットのマタニティ用の上衣あるいはマタニティ用のドレスとして着用できる。
【００１５】
また、本考案のダーツを有する衣類は、特に、妊娠５〜７ヶ月の妊婦を対象として、最近増加傾向にある妊娠中の結婚式でも、新婦が妊婦であることを感じさせない美しいシルエットのマタニティ用のウェディングドレスとして着用できる。
【考案を実施するための最良の形態】
【００１６】
以下に図を用いて本考案のダーツを有する衣類について説明する。
【００１７】
図１は、本考案の第１の実施形態であり、チェスト部８からウェスト部１０までの女性用の上衣部における前身頃５のパターンを表す。前身頃５が前中心身頃６と両側の前脇身頃７の計３つに分かれる。
【００１８】
各ダーツの配置を、第一のダーツ１をチェスト部８からトップバスト部９方向に向かうように配置し、第二のダーツ２をウェスト部１０からトップバスト部９方向に向かうように設け、第三のダーツ３を脇接ぎ部１１からバストライン１３上の、トップバスト部９より脇側近傍に向かうように配置し、第四のダーツ４をウェスト部１０における脇接ぎ部１１と第二のダーツ２との中間位置から、アンダーバストライン１４近傍に向かうようにする。
【００１９】
各ダーツの位置を上記のように配置することにより、ダーツが分散されるとともに、全体に大きくなるだけではなく脇側に丸みを増した乳房に対応でき、また、アンダーバスト部からウエスト部までをフィットさせ、かつ膨らみの増した腹部にも対応できることから、マタニティドレスとしても美しいシルエットを現出可能にする。
【００２０】
本考案において、ダーツとは、膨らみ部分に対応して布地に設けたゆとり部分をつまんで縫合し、立体的に造形する部分を表す。
【００２１】
図３は、図１のパターンの布地の各ダーツを縫合し、立体的に造形した前身頃５の外観図である。バスト部分やウェスト部分が妊婦の体に対応して体に沿ったシルエットとなっている。
【００２２】
図２は、本考案の第２の実施形態を示し、図１と同様に、チェスト部８からウェスト部１０までの上衣部における前身頃５のパターンで、前身頃５がひとつにつながっているものを表す。各ダーツの位置は第１の実施形態と同様である。
【００２３】
図４は、本考案の第３の実施形態を示し、チェスト部８からウェスト部１０より下方にまで延長されて下衣部を形成した上衣部における前身頃５のパターンで、前中心身頃６’と両側の前脇身頃７’の計３つにわかれたものである。
【００２４】
各ダーツの配置は、第一のダーツ１は、チェスト部８からトップバスト部９方向に向かうように配置され、第三のダーツ３は、脇接ぎ部１１からバストライン１３上の、トップバスト部９より脇側近傍に向かうように配置されており、第１の実施形態と同様である。
【００２５】
第二のダーツ２’’は、ウエスト部１０からトップバスト部９方向へ向かうと共に、ウエスト部１０から腹部となる裾ラインに向かう、ウェスト部１０付近におけるダーツ分量が最大となるダーツである。即ち、ウェスト部１０より下方に向かっては、ダーツ分量が減少する。
【００２６】
また、第四のダーツ４’’も、ウエスト部１０における脇接ぎ部１１と第二のダーツ２’’との中間位置からアンダーバストライン１４近傍に向かうと共に、ウエスト部１０から腹部となる裾ラインに向かう、ウェスト部１０付近におけるダーツ分量が最大となるダーツである。即ち、ウェスト部１０より下方に向かっては、ダーツ分量が減少する。
【００２７】
本実施形態のように、本考案の作用を阻害しない範囲でウェスト部よりさらに延長させるなど、衣類の上下の長さは自由に設定できる。
【００２８】
このように、ウェスト部よりさらに延長させることにより、妊娠により大きくなった腹部にも対応することが可能となる。
【００２９】
図５は、本考案の第４の実施形態を示し、肩部１５を有するドレス上衣部の前身頃５のパターンで前身頃６’’と両側の前身頃７’’の計３つに分かれたものである。
【００３０】
各ダーツの配置を、第一のダーツ１’’’を肩接ぎ部１６からトップバスト部９方向に向かうように配置し、第二のダーツ２をウェスト部１０からトップバスト部９方向に向かうように設け、第三のダーツ３’’’をアームホール部１２からバストライン１３上の、トップバスト部９より脇側近傍に向かうように配置し、第四のダーツ４をウェスト部１０における脇接ぎ部１１と第二のダーツ２との中間位置からアンダーバストライン１４近傍に向かうようにする。
【００３１】
本実施形態のように、本考案の作用を阻害しない範囲で肩部１５を有するなど上衣部の形状は自由に設定できる。もちろん袖やネック部分があってもよい。
【００３２】
本考案のダーツを有する衣類は、前身頃のパターンが上記実施形態のようであれば、その構成、素材、製造方法などは限定されない。
【利用分野】
【００３３】
本考案によるダーツを有する衣類は、女性用の上衣部において、肩接ぎ部またはチェスト部のいずれかから、トップバスト部方向に向かう第一のダーツと、ウェスト部からトップバスト部方向に向かう第二のダーツ、さらには脇接ぎ部またはアームホール部部のいずれかから、バストライン上の、トップバスト部より脇側近傍に向かう第三のダーツと、ウェスト部における脇接ぎ部と第二のダーツとの中間位置からアンダーバストライン近傍に向かう第四のダーツとを有するので、第三、第四のダーツによって、ダーツが分散されると共に、全体に大きくなるだけではなく脇側に丸みを増した乳房に対応でき、また、アンダーバスト部からウエスト部までをフィットさせ、かつ膨らみの増した腹部にも対応できることから、マタニティ用の上衣あるいはマタニティ用のドレスとしても美しいシルエットを現出可能にする。特に、ウェディングドレスは、シルエットが重視されるものであるが、増加している妊娠５〜７ヶ月の妊婦を対象としたマタニティ用のウェディングドレスとして有用である。
【図面の簡単な説明】
【００３４】
【図１】本考案の第１の実施形態によるダーツを有する衣類の上衣部における前身頃のパターン図。
【図２】本考案の第２の実施形態によるダーツを有する衣類の上衣部における前身頃のパターン図。
【図３】図１の前身頃を縫製し立体的に造形した外観の正面図。
【図４】本考案の第３の実施形態によるダーツを有する衣類の上衣部における前身頃のパターン図。
【図５】本考案の第４の実施形態によるダーツを有する衣類の上衣部における前身頃のパターン図。
【図６】合計２本のダーツを有する従来の衣類の上衣部における前身頃のパターン図。
【図７】合計４本のダーツを有する従来の衣類の上衣部における前身頃のパターン図。
【図８】合計６本のダーツを有する従来の衣類の上衣部における前身頃のパターン図。
【符号の説明】
【００３５】
１、１’、１’’’  第一のダーツ
２、２’、２’’    第二のダーツ
３、３’’’        第三のダーツ
４、４’’          第四のダーツ
５    前身頃
６、６’、６’’    前中心身頃
７、７’、７’’    前脇身頃
８    チェスト部
９    トップバスト部
１０  ウェスト部
１１  脇接ぎ部
１２  アームホール部
１３  バストライン
１４  アンダーバストライン
１５  肩部
１６  肩接ぎ部
２１、２２、２３  ダーツ
【図１】
0003113922.tif 000003
【図２】
0003113922.tif 000004
【図３】
0003113922.tif 000005
【図４】
0003113922.tif 000006
【図５】
0003113922.tif 000007
【図６】
0003113922.tif 000008
【図７】
0003113922.tif 000009
【図８】
0003113922.tif 000010